(57)【要約】【課題】羽根群の反り上がりを有効に低減できる羽根駆動装置及び撮像装置を提供する。【解決手段】光通過経路（地板１の開口部１１、駆動リング２の開口部２２）の周囲に環状に配置された複数の羽根３と、これら複数の羽根３を回動させる駆動リング２と、を備え、複数の羽根３のそれぞれは、駆動リング２に設けられたカム溝２３に係合する係合部（作動軸３１）を有し、カム溝２３の少なくとも一部は、駆動リング２の径方向外側に向かって傾斜して設けた。羽根駆動装置を撮像装置に備えてもよい。【選択図】図１
2016102830.tif 000002
【特許請求の範囲】
【請求項１】
光通過経路の周囲に環状に配置された複数の羽根と、
前記複数の羽根を回動させる駆動リングと、を備え、
前記複数の羽根のそれぞれは、前記駆動リングに設けられたカム溝に係合する係合部を有し、前記カム溝の少なくとも一部は、前記駆動リングの径方向外側に向かって傾斜して設けたことを特徴とする羽根駆動装置。
【請求項２】
前記カム溝は、前記光通過経路側の端部に近づくに従って前記駆動リングの厚さ方向における傾斜量を大きく設けたことを特徴とする請求項１に記載の羽根駆動装置。
【請求項３】
請求項１又は２に記載の羽根駆動装置を備えたことを特徴とする撮像装置。
【発明の詳細な説明】
【技術分野】
【０００１】
本発明は、絞り羽根等の羽根駆動装置及びこの羽根駆動装置を備えたカメラ等の撮像装置に関する。
【背景技術】
【０００２】
従来から、複数枚の絞り羽根を駆動リングによって駆動する構成が知られている（特許文献１及び２参照）。このような羽根駆動装置においては、露光開口を全開にしている状態（最大絞り開口制御状態）から絞り開口を小さくするときには、各絞り羽根を露光開口に進入させ、先端部を光軸中心に近づけていくようにする。
【０００３】
ところが、特許文献１のように、複数枚の絞り羽根を単純に順に重ねて取り付け、最初に組み付けた絞り羽根と最後に組み付けた絞り羽根とが接触しないような組み付け方をした場合は、各絞り羽根の姿勢は、先端部が光軸中心に近づくにしたがって不安定になる。また、基準の作動面（絞り開口形成面）から、先端部を傾かせ易くなってしまう。そのため、絞り開口を基準の作動面上で適正な形状に形成できなくなるほか、隣接する絞り羽根同士が面接触しなくなるおそれがある。このような現象は、露光開口の直径が大きいほど顕著になるので、このような絞り羽根の組み付け方は、露光開口の小さい絞り装置にだけ採用されている。
【０００４】
一方、特許文献２に開示の絞り機構は、編み込み方式と呼ばれる、絞り羽根の組み付け方として知られている。この組み付け方は、全ての絞り羽根が隣接する２枚の絞り羽根の間にあり、露光開口中においては、それらの最先端部を地板側とカバー板側のいずれか一方から目視でき、他方からは目視できない状態に組み付けるものである。この方式を採用すると、先端部同士が絡み合って支え合うようになるため、複数枚の絞り羽根を単純に順に重ねて組み付けただけの場合よりも、絞り羽根の所定の姿勢が常に安定して得られるようになる。
【先行技術文献】
【特許文献】
【０００５】
【特許文献１】特開２００１−２０１７８０号公報
【特許文献２】特開２００３−５７７１５号公報
【発明の概要】
【発明が解決しようとする課題】
【０００６】
ところで、上記のような編み込み方式を採用した場合には、絞り開口を小さくしていくと、各絞り羽根は隣接する絞り羽根から外力(反り上がり力)を受け、羽根の先端が図４のように開口を形成する基準面から直行する方向へ反り上がる。この羽根群が反り上がった部分は、絞り装置と隣接するレンズ部品と干渉するおそれがある。
【０００７】
本発明は、羽根群の反り上がりを有効に低減できる羽根駆動装置及び撮像装置を提供する。
【課題を解決するための手段】
【０００８】
本発明は、光通過経路の周囲に環状に配置された複数の羽根と、前記複数の羽根を回動させる駆動リングと、を備え、前記複数の羽根のそれぞれは、前記駆動リングに設けられたカム溝に係合する係合部を有し、前記カム溝の少なくとも一部は、前記駆動リングの径方向外側に向かって傾斜して設けたことを特徴とする羽根駆動装置にある。かかる本発明の態様では、光通過経路を絞った状態における羽根群の反り上がりを有効に低減できる。
【０００９】
上記本発明では、前記カム溝は、前記光通過経路側の端部に近づくに従って前記駆動リングの厚さ方向における傾斜量を大きく設けたことを特徴とする。かかる本発明の態様では、複数の羽根をスムーズに走行させつつ、羽根群の反り上がりを有効に低減できる。
【００１０】
なお、本発明は、上述した羽根駆動装置を備えたことを特徴とする撮像装置についても広く対象とする。かかる本発明の態様では、光軸方向において薄型の撮像装置を実現できる。
【発明の効果】
【００１１】
本発明によれば、羽根群の反り上がりを有効に低減できる羽根駆動装置及び撮像装置を提供することが可能となる。
【図面の簡単な説明】
【００１２】
【図１】実施形態１の絞り装置を示す模式的な分解斜視図。
【図２】実施形態１の絞り装置に係る駆動リングを示す図。
【図３】実施形態１の絞り装置の要部を示す拡大断面図。
【図４】従来の絞り装置の要部を示す拡大断面図。
【発明を実施するための形態】
【００１３】
以下、本発明を実施の形態に基づいて詳細に説明する。
＜実施形態１＞
図１には、本発明の実施形態１に係る羽根駆動装置の一例である絞り装置の分解斜視図を示す。
【００１４】
図１に示すように、本実施形態の絞り装置は、円盤状の地板１と、この地板１上に回転可能に搭載される駆動リング２と、駆動リング２に係合する複数（本実施形態では６枚）の絞り羽根３とを備える。駆動リング２の外周縁部の一部には、ギア部２１が設けられ、このギア部２１には、地板１に実装されるモータ等の駆動源４が接続される。
【００１５】
ここで、地板１には、駆動リング２の開口部２２に連通する開口部（レンズ開口部）１１が設けられている。この開口部１１の開口周縁部には、ガイド部１２が突出して設けられている。そして、この地板１には、駆動リング２が搭載されるが、このとき、駆動リング２は、ガイド部１２の側壁と駆動リング２の開口部２２とが係合する。
【００１６】
すなわち、本実施形態では、駆動リング２における開口部２２のリング内周面が、ガイド部１２の外周面に対応して実質的に当接し、これによって地板１に対する駆動リング２の面方向の移動が実質的に制限される。
【００１７】
このため、駆動リング２は、ギア部２１によって駆動源４からの動力が定常的に伝達されても、ガイド部１２が実質的な壁となって地板１の開口部１１と駆動リング２の開口部２２とを連通させた状態を確保できる。
【００１８】
また、駆動リング２は、駆動源４からの回転動力を受けると、ガイド部１２の外周に沿って、地板１上で駆動リング２を安定的に回動させることが可能となる。
【００１９】
なお、上記の地板１には、駆動リング２が実装される領域の外側に対応して、各絞り羽根３の回転中心となる６個の回転軸１３がそれぞれ設けられている。
【００２０】
ここで、各絞り羽根３と駆動リング２、地板１との係合関係について詳細に説明する。
【００２１】
具体的には、複数の絞り羽根３のそれぞれには、駆動リング２側の面上で突出する作動軸３１が設けられている。また、各絞り羽根３の一端部（詳細には光通過経路側の先端部とは反対側の基端部）には、貫通孔となる支持孔３２が設けられている。
【００２２】
一方、駆動リング２には、各絞り羽根３の作動軸３１が挿入される６個のカム溝２３が設けられている。そして、各絞り羽根３は、駆動リング２の開口部２２の周囲を取り囲むように環状配置された状態で、各絞り羽根３の側面に設けられた作動軸３１が、各カム溝２３に係合する。すなわち、各絞り羽根３の作動軸３１は、駆動リング２に対する係合部となる。
【００２３】
また、各絞り羽根３の支持孔３２には、地板１から立設された回転軸１３が挿入される。これによって、各絞り羽根３は、地板１の回転軸１３を回転中心として、駆動リング２のカム溝２３に沿って光通過経路（地板１及び駆動リング２の開口部１１，２２）に回動する。
【００２４】
なお、実際には、駆動源４を一方向に回動させた後、逆回転させることにより、駆動リング２を往復回転させる。これによって、各絞り羽根３は、光通過経路を絞る方向、開放する方向それぞれに回動し、光通過経路を開閉する。
【００２５】
ここで、本実施形態では、駆動リング２の往復回転によって絞り羽根４の絞り開口を形成するにあたり、各絞り羽根３と駆動リング２との係合構造を工夫している。
【００２６】
具体的には、カム溝２３の少なくとも一部は、駆動リング２の径方向外側に向かって傾斜して設けられている。例えば、本実施形態では、カム溝２３について、光通過経路側の端部に近づくに従って駆動リング２の厚さ方向におけるカム溝２３の傾斜量を大きく設けた。このカム溝２３の長手方向における各部位の形状を図２（ｂ）、図２（ｃ）、図２（ｄ）のそれぞれに示す。
【００２７】
図２のＡ−Ａ断面部は絞り開放位置、Ｂ−Ｂ断面部は中間絞り位置、Ｃ−Ｃ断面部は小絞り位置である。図示するように、駆動リング２のカム溝２３は、絞り開放位置に深さ方向の傾斜は無く、絞り径小方向に進むにつれて傾斜角が大きくなる。
【００２８】
これにより、カム溝２３には各絞り羽根３の作動軸３１が挿入され、この状態のままで駆動リング２を回転させることから、各絞り羽根３のうち支持孔３２側の一端部は、駆動リング２に対して部分的に変形する（図３参照）。
【００２９】
そして、各絞り羽根３は、その一端部側の変形に伴って、地板１のガイド部１２の上面（平面）側に実質的に付勢される。これにより、各絞り羽根３の先端部側の物理的な干渉（反り上がり応力）が生じても、これとは逆方向の応力が羽根群の一端部側から生じるため、光通過経路を絞った状態における羽根群の反り上がりを有効に低減できる。
【図１】
2016102830.tif 000003
【図２】
2016102830.tif 000004
【図３】
2016102830.tif 000005
【図４】
2016102830.tif 000006